【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
梱包部材に梱包された、電子写真画像形成装置本体に着脱可能なプロセスカートリッジにおいて、
感光体ドラムと、
前記感光体ドラムを支持するカートリッジ枠体と、
前記プロセスカートリッジを前記装置本体に装着する際に把持する第１の把手部材であって、前記プロセスカートリッジの長手方向の一端側において、前記カートリッジ枠体から突出して設けられた第１の把手部材と、
前記プロセスカートリッジを前記装置本体に装着する際に把持する第２の把手部材であって、前記プロセスカートリッジの長手方向の他端側において、前記カートリッジ枠体から突出して設けられた第２の把手部材と、
を有し、
前記梱包部材は、可撓性のシートから構成され、媒体を収納した媒体収納部と、前記シートに熱を加えることによって形成されるヒートシールであって、前記第１の把手部材と前記第２の把手部材との少なくともいずれか一方に作用することによって前記梱包部材に対する前記プロセスカートリッジの動きを規制するヒートシールと、を有することを特徴とするプロセスカートリッジ。
【請求項２】
前記ヒートシールは、前記カートリッジ枠体にも作用することを特徴とする請求項１に記載のプロセスカートリッジ。
【請求項３】
前記ヒートシールは、前記長手方向において前記第１の把手部材と前記第２の把手部材との間に対応する位置に設けられていることを特徴とする請求項１または２に記載のプロセスカートリッジ。
【請求項４】
前記ヒートシールは、前記長手方向と交差する方向において前記第１の把手部材と前記第２の把手部材との少なくともいずれか一方の先端側に対応する位置に設けられていることを特徴とする請求項１乃至３のいずれかに記載のプロセスカートリッジ。
【請求項５】
前記媒体収納部は、前記長手方向に沿って複数個並んで設けられていることを特徴とする請求項１乃至４のいずれかに記載のプロセスカートリッジ。
【請求項６】
前記前記第１の把手部材と前記第２の把手部材は、前記長手方向と交差する方向に突出していることを特徴とする請求項１乃至５のいずれかに記載のプロセスカートリッジ。
【請求項７】
電子写真画像形成装置本体に着脱可能なプロセスカートリッジであって、感光体ドラムと、前記感光体ドラムを支持するカートリッジ枠体と、前記プロセスカートリッジを前記装置本体に装着する際に把持する第１の把手部材であって、前記プロセスカートリッジの長手方向の一端側において、前記カートリッジ枠体から突出して設けられた第１の把手部材と、前記プロセスカートリッジを前記装置本体に装着する際に把持する第２の把手部材であって、前記プロセスカートリッジの長手方向の他端側において、前記カートリッジ枠体から突出して設けられた第２の把手部材と、を有するプロセスカートリッジを運搬する際に、媒体を収納することができる媒体収納部を有する、可撓性のシートから構成される梱包部材を用いて前記プロセスカートリッジを梱包する梱包方法であって、
前記プロセスカートリッジを前記梱包部材に挿入させる工程と、
前記挿入させる工程の後に、前記第１の把手部材と前記第２の把手部材との少なくともいずれか一方に作用して、前記梱包部材に対する前記プロセスカートリッジの動きを規制する、前記シートに熱を加えてヒートシールを形成する工程と、
前記ヒートシールを形成する工程の後に、前記媒体収納部に前記媒体を注入する工程と、
を有するプロセスカートリッジを梱包する梱包方法。
【請求項８】
前記ヒートシールを形成する工程において、前記ヒートシールは、前記長手方向において前記第１の把手部材と前記第２の把手部材との間に対応する位置に形成されることを特徴とする請求項７に記載の梱包方法。
【請求項９】
前記ヒートシールを形成する工程において、前記ヒートシールは、前記長手方向と交差する方向において前記第１の把手部材と前記第２の把手部材との少なくともいずれか一方の先端側に対応する位置に形成されることを特徴とする請求項７または８に記載の梱包方法。
【手続補正２】
【補正対象書類名】明細書
【補正対象項目名】０００７
【補正方法】変更
【補正の内容】
【０００７】
また、本発明の他の目的は、プロセスカートリッジを運搬する際に、把手部材に損傷を与えることを防ぐことを実現したプロセスカートリッジ、及び、前記プロセスカートリッジの梱包方法を提供することにある。
【手続補正３】
【補正対象書類名】明細書
【補正対象項目名】０００８
【補正方法】変更
【補正の内容】
【０００８】
上記目的を達成するための本発明の代表的な構成は、梱包部材に梱包された、電子写真画像形成装置本体に着脱可能なプロセスカートリッジにおいて、感光体ドラムと、前記感光体ドラムを支持するカートリッジ枠体と、前記プロセスカートリッジを前記装置本体に装着する際に把持する第１の把手部材であって、前記プロセスカートリッジの長手方向の一端側において、前記カートリッジ枠体から突出して設けられた第１の把手部材と、前記プロセスカートリッジを前記装置本体に装着する際に把持する第２の把手部材であって、前記プロセスカートリッジの長手方向の他端側において、前記カートリッジ枠体から突出して設けられた第２の把手部材と、を有し、前記梱包部材は、可撓性のシートから構成され、媒体を収納した媒体収納部と、前記シートに熱を加えることによって形成されるヒートシールであって、前記第１の把手部材と前記第２の把手部材との少なくともいずれか一方に作用することによって前記梱包部材に対する前記プロセスカートリッジの動きを規制するヒートシールと、を有するプロセスカートリッジである。
【手続補正４】
【補正対象書類名】明細書
【補正対象項目名】０００９
【補正方法】変更
【補正の内容】
【０００９】
また、上記目的を達成するための本発明の代表的な梱包方法は、電子写真画像形成装置本体に着脱可能なプロセスカートリッジであって、感光体ドラムと、前記感光体ドラムを支持するカートリッジ枠体と、前記プロセスカートリッジを前記装置本体に装着する際に把持する第１の把手部材であって、前記プロセスカートリッジの長手方向の一端側において、前記カートリッジ枠体から突出して設けられた第１の把手部材と、前記プロセスカートリッジを前記装置本体に装着する際に把持する第２の把手部材であって、前記プロセスカートリッジの長手方向の他端側において、前記カートリッジ枠体から突出して設けられた第２の把手部材と、を有するプロセスカートリッジを運搬する際に、媒体を収納することができる媒体収納部を有する、可撓性のシートから構成される梱包部材を用いて前記プロセスカートリッジを梱包する梱包方法であって、前記プロセスカートリッジを前記梱包部材に挿入させる工程と、前記挿入させる工程の後に、前記第１の把手部材と前記第２の把手部材との少なくともいずれか一方に作用して、前記梱包部材に対する前記プロセスカートリッジの動きを規制する、前記シートに熱を加えてヒートシールを形成する工程と、前記ヒートシールを形成する工程の後に、前記媒体収納部に前記媒体を注入する工程と、を有する梱包方法である。
【手続補正５】
【補正対象書類名】明細書
【補正対象項目名】００１０
【補正方法】変更
【補正の内容】
【００１０】
以上、説明したように本発明においては、ヒートシールによって梱包部材の内部でプロセスカートリッジが移動することを抑えることができる。よって、プロセスカートリッジを運搬する際に、プロセスカートリッジに設けられた把手部材によって、媒体収納部、把手部材自身を損傷させることがない。したがって、プロセスカートリッジを運搬する際に、プロセスカートリッジを梱包部材によって外力から十分に保護することができる。